(57)【要約】【課題】本発明はシガレットのソフトパケットのカートンの改良に関する。【解決手段】カートンは、外パッケージ（２）、外パッケージ（２）の内側に収納されたシガレットの一群のソフトパケット（３）、および外パッケージ（２）の内側に収納されかつシガレットのソフトパケット（３）を収容する少なくとも一つの再使用可能硬質箱（４）を含み、各ソフトパケットがそれぞれのシガレット群の周りに折り畳まれた可撓性パッキング材料によるシートを有する内パッケージ（７）を含み、シガレットの他のソフトパケット（３）が再使用可能硬質箱（４）のリフィルとして働き、シガレットの各ソフトパケットの内パッケージ（７）は、引裂線（１５）により内パッケージ（７）の残部から分離される引裂上部（１４）を有することを特徴とする。【選択図】図６
2009023730.tif 000002
【特許請求の範囲】
【請求項１】
外パッケージ（２）、
外パッケージ（２）の内側に収納されたシガレットの一群のソフトパケット（３）、および
外パッケージ（２）の内側に収納されかつシガレットのソフトパケット（３）を収容する少なくとも一つの再使用可能硬質箱（４）を含み、
各ソフトパケットがそれぞれのシガレット群（１３）の周りに折り畳まれた可撓性パッキング材料による第一シート（１２）を含む内パッケージ（７）を含み、
シガレットの他のソフトパケット（３）が再使用可能硬質箱（４）のリフィルとして働くシガレットのソフトパケットのカートンにおいて、
各ソフトパケット（３）の内パッケージ（７）は引裂線（１５）により内パッケージ（７）の残部から分離される引裂上部（１４）を有することを特徴とするカートン。
【請求項２】
各引裂上部（１４）は、それぞれの内パッケージ（７）の上壁の一部および前壁の一部を含む、請求項１のカートン。
【請求項３】
シガレットの各ソフトパケット（３）は、気密オーバーラッピング（９）を含む、請求項１または２のカートン。
【請求項４】
各気密オーバーラッピング（９）は、それぞれの内パッケージ（７）の周りをラップしかつそれぞれの内パッケージ（７）の周りにヒートシールされたヒートシール材料による第二シートを含む、請求項３のカートン。
【請求項５】
各気密オーバーラッピング（９）は、気密オーバーラッピング（９）の上部の全周に延在する引裂細片（１０）を含み、かつそれにより気密オーバーラッピング（９）を引裂いて気密オーバーラッピング（９）の上部を除去できる、請求項４のカートン。
【請求項６】
シガレットの各ソフトパケット（３）は、内パッケージ（７）および気密オーバーラッピング（９）のみを含み、気密オーバーラッピング（９）は内パッケージ（７）の上に設けられかつ内パッケージ（７）と直接接触している、請求項２から４のいずれか１のカートン。
【請求項７】
内パッケージ（７）は接着剤を含まず、かつそれぞれの気密オーバーラッピング（９）により固定されている、請求項２から６のいずれか１のカートン。
【請求項８】
各内パッケージ（７）の上壁は、カバーフラップ（１７）または類似物を含まない、請求項１から７のいずれか１のカートン。
【請求項９】
外パッケージ（２）、
外パッケージ（２）の内側に収納されたシガレットの一群のソフトパケット（３）、および
外パッケージ（２）の内側に収納されかつシガレットのソフトパケット（３）を収容する少なくとも一つの再使用可能硬質箱（４）を含み、
各ソフトパケットがそれぞれのシガレット群（１３）の周りに折り畳まれた可撓性パッキング材料によるシート（１２）を含む内パッケージ（７）を含み、
シガレットの他のソフトパケット（３）が再使用可能硬質箱（４）のリフィルとして働くシガレットのソフトパケットのカートンにおいて、
各ソフトパケット（３）の内パッケージ（７）は再使用可能カバーフラップ（１７）により閉鎖されたシガレット取出し開口（１６）を有することを特徴とするカートン。
【請求項１０】
各カバーフラップ（１７）は、内パッケージ（７）にカバーフラップ（１７）を解放自在に連結するための再使用可能保持手段を有する、請求項９のカートン。
【請求項１１】
各再使用可能保持手段は硬化しない再粘着性接着剤を含む、請求項１０のカートン。
【請求項１２】
各内パッケージ（７）は、内パッケージ（７）内側で、シガレット群（１３）と内パッケージ（７）のパッキング材料によるシートとの間に設置された補強部材（２０）を含む、請求項９から１１のいずれか１のカートン。
【請求項１３】
各補強部材（２０）は、少なくとも取出し開口（１６）の周りで、内パッケージ（７）のパッキング材料によるシートへ固定されている、請求項１２のカートン。
【請求項１４】
各補強部材（２０）は、内パッケージ（７）のパッキング材料によるシートへ完全に固定されている、請求項１３のカートン。
【請求項１５】
各補強部材（２０）は前壁（２１）を含む、請求項１２から１４のいずれか１のカートン。
【請求項１６】
各補強部材（２０）は前壁（２１）および底壁（２２）を含む、請求項１２から１４のいずれか１のカートン。
【請求項１７】
各カバーフラップ（１７）は、接着剤の付かないグリップタブ（１８）を含む、請求項９から１６のいずれか１のカートン。
【請求項１８】
内パッケージ（７）が再使用可能硬質箱（４）の内側に収納されるときに、カバーフラップ（１７）のグリップタブ（１８）は再使用可能硬質箱（４）のカラーの前壁上に当接する、請求項１７のカートン。
【請求項１９】
再使用可能硬質箱（４）のカラーの前壁は貫通孔を有し、カバーフラップ（１７）のグリップタブ（１８）は、グリップタブ（１８）のグリップ促進するために、前記カラー上に当接する、請求項１８のカートン。
【請求項２０】
各カバーフラップ（１７）のグリップタブ（１８）は、カバーフラップ（１７）の一体的一部を形成し、かつカバーフラップ（１７）の底延長部により形成されている、請求項１７から１９のいずれか１のカートン。
【請求項２１】
各カバーフラップ（１７）は、可動部、および内パッケージ（７）の外面に永久的に固定されかつ引裂線により前記可動部から分離された固定ボーダーを含み、引裂線は、カバーフラップ（１７）が開放される最初の時に引裂かれる、請求項９から２０のいずれか１のカートン。
【請求項２２】
各内パッケージ（７）のパッキング材料によるシートは、ヒートシール材により形成され、かつ各内パッケージ（７）はヒートシールにより固定されている、請求項９から２１のいずれか１のカートン。
【請求項２３】
シガレットの各ソフトパケット（３）は、それぞれ内パッケージ（７）のみを有する、請求項９から２２のいずれか１のカートン。
【発明の詳細な説明】
【技術分野】
【０００１】
本発明は、再使用可能硬質箱を含む、シガレットのソフトパケットのカートンに関する。
【背景技術】
【０００２】
シガレットの蝶番式蓋付き硬質パケットは、製造容易、実用的かつ使用容易であり、更に内部のシガレットを効果的に保護することから、現在最も広範囲に市場に流通している。
【０００３】
シガレットの蝶番式蓋付き硬質パケットは、フォイルで包んだ一群のシガレットを含む内パケット、および内パケットを収納する硬質外パケットを含む。外パケットは、一群のシガレットを収納しかつ開放上端を有するカップ形容器、および開放上端を開閉する開閉位置間で容器に対して蝶番に沿って回転するように容器に蝶番留めされたカップ形蓋を含む。Ｕ形に折り曲げたカラーが、通常、容器の内側に取付けられていて、蓋が閉鎖位置の時に開放端の外方へ一部が突出して、蓋の対応する内面と係合する。
【０００４】
シガレットのソフトパケットは市販されており、パッキング材料が少量で済むことから硬質パケットよりも製造コストが低廉である。シガレットのソフトパケットは、実際には、シガレットの硬質パケットと同様に内パッケージ、およびシガレットを自由に引き出すための内パッケージの上壁を除き、内パッケージの五側を封入するソフト外パッケージ（即ち硬質外パッケージよりも薄いパッキング材料で形成される）を含む。
【０００５】
シガレットのソフトパケットは、しかしながら、硬質パケットのようにはシガレットを保護しないので、シガレットの取り出しは、特にパケットが空に近づくときには注意を要する。これらの理由から、シガレットの硬質パケットの方が一般的に評判よく、市場に広範囲に流通している。
【０００６】
過去数年に亘る環境認識は、廃棄用パッキング材料の使用量の減少を重要視する傾向にあり、このことは、パッキング材の使用量の少ないシガレットのソフトパケットの方が流行する傾向にあることを意味する。
【０００７】
シガレットのソフトパケットの利点（少量のパッキング材料）と硬質パケットの利点（シガレットの保護と引き出し易さ）を組み合わせる試みとして、再使用硬質箱が、空になったときに他のものと交換されるシガレットのソフトパケットを収納するように提案されている。
【０００８】
例えば、ＥＰ１４９７２０３Ｂ１は、再使用可能硬質箱（を収納する外パッケージ）、および再使用可能硬質箱と共に、所定の順序で配置されかつ再使用可能硬質箱のリフィルとして役立つシガレットの複数のソフトパケット（を収納する外パッケージ）を有する、シガレットのパケットのカートンを記載している。更に具体的には、再使用可能硬質箱は、シガレットのソフトパケットを収容し、かつシガレットの他のソフトパケットと共にカートン内に収納される。ただし、シガレットの従来ソフトパケットは、再使用可能硬質箱の内側からシガレットを抜き取るのに不適当であり、再使用可能硬質箱からソフトパケットの部分的除去を必要とするので注意を要する。
【０００９】
【特許文献１】ＥＰ１４９７２０３Ｂ１
【発明の開示】
【発明が解決しようとする課題】
【００１０】
本発明は、上述の欠点を解消すると共に製造安価かつ容易な設計の再使用可能硬質箱を収容する、シガレットのソフトパケットのカートンを提供することを課題とする。
【課題を解決するための手段】
【００１１】
本発明によれば、特許請求の範囲に記載の通りの、再使用可能硬質箱を収容する、シガレットのソフトパケットのカートンが提供される。
【００１２】
即ち、本発明によるカートンは、外パッケージ、外パッケージの内側に収納されたシガレットの一群のソフトパケット、および外パッケージの内側に収納されかつシガレットのソフトパケットを収容する少なくとも一つの再使用可能硬質箱を含み、各ソフトパケットがそれぞれのシガレット群の周りに折り畳まれた可撓性パッキング材料による第一シートを含む内パッケージを含み、シガレットの他のソフトパケットが再使用可能硬質箱のリフィルとして働くシガレットのソフトパケットのカートンに関し、各ソフトパケットの内パッケージは引裂線により内パッケージの残部から分離される引裂上部を有することを特徴とする。
【００１３】
好適形態において、各引裂上部は、それぞれの内パッケージの上壁の一部および前壁の一部を含む。
【００１４】
好適形態において、シガレットの各ソフトパケットは、気密オーバーラッピングを含む。
【００１５】
好適形態において、各気密オーバーラッピングは、それぞれの内パッケージの周りをラップしかつそれぞれの内パッケージの周りにヒートシールされたヒートシール材料による第二シートを含む。
【００１６】
好適形態において、各気密オーバーラッピングは、気密オーバーラッピングの上部の全周に延在する引裂細片を含み、かつそれにより気密オーバーラッピングを引裂いて気密オーバーラッピングの上部を除去できる。
【００１７】
好適形態において、シガレットの各ソフトパケットは、内パッケージおよび気密オーバーラッピングのみを含み、気密オーバーラッピングは内パッケージの上に設けられかつ内パッケージと直接接触している。
【００１８】
好適形態において、内パッケージは接着剤を含まず、かつそれぞれの気密オーバーラッピングにより固定されている。
【００１９】
好適形態において、各内パッケージの上壁は、カバーフラップまたは類似物を含まない。
【００２０】
本発明は、更に、外パッケージ、外パッケージの内側に収納されたシガレットの一群のソフトパケット、および外パッケージの内側に収納されかつシガレットのソフトパケットを収容する少なくとも一つの再使用可能硬質箱を含み、各ソフトパケットがそれぞれのシガレット群の周りに折り畳まれた可撓性パッキング材料によるシートを含む内パッケージを含み、シガレットの他のソフトパケットが再使用可能硬質箱のリフィルとして働くシガレットのソフトパケットのカートンを提供し、かかるカートンにおいて、各ソフトパケットの内パッケージは再使用可能カバーフラップにより閉鎖されたシガレット取出し開口を有することを特徴とする。
【００２１】
好適形態において、各カバーフラップは、内パッケージにカバーフラップを解放自在に連結するための再使用可能保持手段を有する。
【００２２】
好適形態において、各再使用可能保持手段は硬化しない再粘着性接着剤を含む。
【００２３】
好適形態において、各内パッケージは、内パッケージ内側で、シガレット群と内パッケージのパッキング材料によるシートとの間に設置された補強部材を含む。
【００２４】
好適形態において、各補強部材は、少なくとも取出し開口の周りで、内パッケージのパッキング材料によるシートへ固定されている。
【００２５】
好適形態において、各補強部材は、内パッケージのパッキング材料によるシートへ完全に固定されている。
【００２６】
好適形態において、各補強部材は前壁を含む。
【００２７】
好適形態において、各補強部材は前壁および底壁を含む。
【００２８】
好適形態において、各カバーフラップは、接着剤の付かないグリップタブを含む。
【００２９】
好適形態において、内パッケージが再使用可能硬質箱の内側に収納されるときに、カバーフラップのグリップタブは再使用可能硬質箱のカラーの前壁上に当接する。
【００３０】
好適形態において、再使用可能硬質箱のカラーの前壁は貫通孔を有し、カバーフラップのグリップタブは、グリップタブのグリップ促進するために、前記カラー上に当接する。
【００３１】
好適形態において、各カバーフラップのグリップタブは、カバーフラップの一体的一部を形成し、かつカバーフラップの底延長部により形成されている。
【００３２】
好適形態において、各カバーフラップは、可動部、および内パッケージの外面に永久的に固定されかつ引裂線により前記可動部から分離された固定ボーダーを含み、引裂線は、カバーフラップが開放される最初の時に引裂かれる。
【００３３】
好適形態において、各内パッケージのパッキング材料によるシートは、ヒートシール材により形成され、かつ各内パッケージはヒートシールにより固定されている。
【００３４】
好適形態において、シガレットの各ソフトパケットは、それぞれ内パッケージのみを有する。
【発明の効果】
【００３５】
シガレットのソフトパケット３のカートン１は、幾つかの利点を有する。即ち、製造が容易であり、シガレットの硬質パケットの同様カートンよりも使用材料が少量であり、かつ同時に、使用中の（即ち、再使用可能硬質箱の内側に挿入されている）シガレットの適切保護を確実にする。更に、シガレットのソフトパケットは、特に、再使用可能硬質箱の内側からシガレットを引き抜くのに好適である、即ち、再使用可能硬質箱からシガレットのソフトパケットを部分的に抜き出す必要なく、再使用可能硬質箱の内側に収納されたソフトパケット内のシガレットが迅速かつ容易に引き出せる。
【発明を実施するための最良の形態】
【００３６】
本発明の非制限形態を例示として添付した図面を参照して本発明を以下に説明する。
【００３７】
図１の参照番号１は、外パッケージ２、外パッケージ２の内側に収納されたシガレットのソフトパケット３の一群、および外パッケージの内側でソフトパケット３と所定の順序で側−側並置された少なくとも一つの再使用可能硬質箱４を含むカートンを全体として示す。図１の実施形態において、外パッケージ２は、シガレットのソフトパケット３の群の周りに包装されたソフトパッキング材料であるシート（sheet)を含み、このシートはソフトパケット３を抜き取るために引裂かれる。選択的に、外パッケージ２は、シガレットのソフトパケット３の群を収納する蝶番式蓋付き硬質箱を形成する硬質パッキング材料であるシートを含んでよい。
【００３８】
再使用可能硬質箱４は、外パッケージ２の内側に収納されかつシガレットのソフトパケット３を収容し、かつ他のシガレットのソフトパケット３は再使用可能硬質箱４のリフィルとして作用する。図４に更に明瞭に示されたように、再使用可能硬質箱４は蓋５を有する閉鎖箱であり、ソフトパケット３の挿入を可能にする形状および寸法の開口６にアクセスするために開放可能であり、かつ再使用可能硬質箱４の内形および各ソフトパケット３の外形は実質的に対応してソフトパケット３の再使用可能硬質箱４への完全挿入および閉鎖を可能にし、かつ再使用可能硬質箱４のリフィルとして働く。
【００３９】
図示例において、カートン１は、細長い矩形平行六面体の形態の従来ソフトカートンであり、再使用可能硬質箱４は矩形平行六面形の蝶番式蓋付き箱であり、各ソフトパケット３は矩形平行六面形内パケット７を含む。
【００４０】
反復使用を可能にするために、再使用可能硬質箱４は好適には比較的強力な材料、例えばカードボード、プラスチックまたは金属、そしてある程度印刷可能な材料等により形成され、再使用可能硬質箱４の外面が８で全体が示されたように画像８ａおよび／または文字８ｂを含む図形が印刷できるようにされてよい。
【００４１】
環境に優しくかつ可能な限り安価なソフトパケット３を形成するために、各フォイルパケット３が、好適には、内パケット７、および引裂細片１０により開放する気密オーバーラッピング９のみを含む。換言すれば、各気密オーバーラッピング９は、内パッケージ７の周りを包みかつ内パッケージ７の周りにヒートシールされたヒートシールパッキング材料である第二シート、および気密オーバーラッピング９の上部の全体の周りに延在する引裂細片を含み、気密オーバーラッピング９の上部は引裂細片を引き裂き廃棄することにより開放する。
【００４２】
図示実施形態において、気密オーバーラッピング９は透明または半透明であっよく、印刷可能材料により形成され、気密オーバーラッピング９の外面は、全体が１１で示され、画像１１ａおよび／または文字１１ｂを含み、図形８と必ずしも同一でなくてよい図形が印刷されてよい。
【００４３】
実際の使用において、外パッケージ２の開放後に、使用者は再使用可能硬質箱４を抜き取り、かつ再使用可能硬質箱４の内側の初期パケット３を開放かつ終了後に、カートン１が空になるまで、再使用可能硬質箱４を継続的ソフトパケット３でリフィルできる。自明なように、再使用可能硬質箱４の内側へシガレットのソフトパケット３を挿入する前または後に、気密オーバーラッピング９の上部は、シガレットのソフトパケット３の内パッケージ７へのアクセスを容易にするために引裂細片１０を使用して引裂かれる。
【００４４】
図５および６の実施形態において、シガレットの各ソフトパケット３の内パッケージ７は可撓性パッキング材料である第一シート１２を含み、第一シート１２はそれぞれのシガレット群１３の周りに折り畳まれ、かつ引裂線１５により内パッケージ７の残部から分離された引裂上部１４を有する。引裂上部１４は、好適には、内パッケージ７の上壁の一部および前壁の一部を被覆し、かつシガレットのソフトパケット３が未シーリング時に除去かつ廃棄され、シガレットのソフトパケット３が再使用可能硬質箱４の内側に収納されているときでさえシガレット群１３への容易アクセスを可能にする。
【００４５】
上述したように、図１から６の実施形態にといて、シガレットの各ソフトパケット３は、内パッケージ７および気密オーバーラッピング９のみを含み、気密オーバーラッピング９は、従って、内パッケージ７の上部に適用されかつ直接接触する。好適形態において、各内パッケージ７は、接着剤を含まず、かつそれぞれの気密オーバーラッピング９により固定され、そして内パッケージ７の上壁はカバーフラップまたは類似物を具備しない。
【００４６】
図７および８に示された異なる実施形態において、シガレットの各ソフトパケット３の内パッケージ７は、上および前に、再使用可能カバーフラップ１７により閉鎖された矩形シガレット取出し開口１６を有する。更に詳細には、取出し開口１６は、内パッケージ７の上壁の一部および前壁の一部を含む。
【００４７】
好適実施形態において、各カバーフラップ１７は、非硬化再粘着性接着剤を使用して内パッケージ７に固定され、接着剤はカバーフラップ１７の下側面に付与されかつ取出し開口１６の全体の周りに延び、そのようにしてカバーフラップ１７は内パッケージ７から一部が反復的に剥離され（即ち、シガレットのソフトパケット３が開放される度に）、かつ次に内パッケージ７へ再度固定される。カバーフラップ１７は、好適には、下グリップタブ１８を有し、このグリップタブ１８によりカバーフラップ１７を把持し持ち上げ、かつカバーフラップ１７は再粘着性接着剤を具備せずかつ再使用可能硬質箱４のカラーの前壁上に当接する（自明なように、シガレットのそれぞれのソフトパケット３が再使用可能硬質箱４へ挿入されるとき）。換言すれば、カバーフラップ１７を上昇させるために、使用者は単にグリップタブ１８を把持し、再使用可能硬質箱４のカラーの前壁へ固定する。各カバーフラップ１７のグリップタブ１８は、通常、カバーフラップ１７の一体的部分を形成し、かつカバーフラップ１７の底延長部、即ち、下延長部により形成される。図示されていない可能形態において、グリップタブ１８の把持を容易にするために、再使用可能硬質箱４のカラーの前壁は、カバーフラップ１７のグリップタブ１８がカラー上に当接する貫通孔を有する。
【００４８】
図８に示されたように、内パッケージ７は、ヒートシール・ワニスの外コーティングで階層化した気密プラスチック材料で形成されたパッキング材である矩形シート１９を折り畳むことにより形成される。パッキング材料のシート１９をシガレット群１３の周りに折り畳み内パッケージ７を形成した後に、内パッケージ７の形状をパッキング材料のシート１９の重合部分をヒートシールすることにより安定化させることが好ましい。
【００４９】
シガレット群１３の周りに折り畳んだ後に、パッキング材料のシート１９を切断して取出し開口１６を形成し、次に下側にゴム付けしたカバーフラップ１７をパッキング材料のシート１９に適用する。即ち、カバーフラップの下側面に再粘着性接着剤を塗布し、取出し開口１６の内側でパッキング材料のシート１９の内部をカバーフラップ１７へ永久的に接着し、かつ取出し開口１６の外側で、パッキング材料のシート１９をカバーフラップ１７へ脱着可能に接着する。
【００５０】
上述のごとく、図７の形態において、各内パッケージ７のパッキング材料であるシート１９は、ヒートシール材で形成され、かつ各内パッケージ７はヒートシールにより固定される。シガレットのソフトパケット３は内パッケージ７のみを有する、即ち、気密オーバーラッピング９を含まない。
【００５１】
図９の変形形態において、内パッケージ７は硬質カードボードで形成されかつ内パッケージの内側に位置決めされた補強部材２０を、シガレット群１３とパッケージ材料のシート１９との間に有する、即ち補強部材２０の内面はシガレット群１３と接触して位置決めされ、かつ補強部材２０の外面はパッケージ材料のシート１９と接触して位置決めされる。少なくとも取り出し開口１６の周りで、補強部材２０は内パッケージ７のパッキング材料のシート１９に固定されて内パッケージ７の形状を維持する。換言すれば、内パッケージ７が部分的に空になっても、内パッケージ７のパッキング材料のシート１９が補強部材２０に固定されていることにより、内パッケージ７の初期形状を維持しかつ崩壊を防止し、残ったシガレットの抜き取り難さ、特にカバーフラップ１７の開閉し難さを軽減する。換言すれば、補強部材２０は、取出し開口１６で内パッケージ７を内部強化する。
【００５２】
この目的のために、補強部材２０は、少なくとも取出し開口１６の周り、即ち少なくとも取出し開口１６に接近して、で内パッケージ７のパッキング材料のシート１９に単に固定される必要があるが、好適には内パッケージ７のパッキング材料のシート１９に完全に固定される。好適実施形態において、補強部材２０はヒートシールされるが、選択的に接着剤により内パッケージ７のパッキング材料であるシート１９へ接着されてよい。
【００５３】
図１０および１１に示されたように、補強部材２０は前壁２１および底壁２２を有する。図示されていない異なる形態において、補強部材２０は前壁２１のみで構成されてよい。
【００５４】
図示されていない異なる形態において、各カバーフラップ１７は可動部、および内パッケージ７の外面に永久的に固定されかつ引裂線により可動部から分離される固定ボーダーを含み、引裂線はカバーフラップ１７を開放する最初の時に引裂かれる。
【図面の簡単な説明】
【００５５】
【図１】本発明によるシガレットのソフトパケットのカートンの好適形態の斜視図を示し、一部が説明のために省略されている。
【図２】図１のカートンの再使用可能硬質箱の斜視図であり、蓋は閉鎖位置で示されている。
【図３】図１のカートンのシガレットのソフトパケットの斜視図を示す。
【図４】図２の再使用可能硬質箱の斜視図であり、蓋は開放位置で示され、シガレットのソフトパケットは一部が内側に挿入されている。
【図５】図３のシガレットのソフトパケットの内パッケージの斜視図を示す。
【図６】図５の内パッケージの斜視図であり、引裂上部は除去されている。
【図７】図１のカートンのシガレットのソフトパッケージの他の形態の斜視図を示す。
【図８】図７の内パッケージを形成する気密パッキング材料によるシートの拡げた状態を示す。
【図９】図１のパケットの内パッケージを変形したパッケージの前方斜視図を示す。
【図１０】図９の内パッケージの補強部材の前方斜視図を示す。
【図１１】図９の内パッケージを形成する補強部材に取付けた気密パッキング材料によるシートの拡げた状態を示す。
【符号の説明】
【００５６】
１    カートン
２    外パッケージ
３    ソフトパケット３
４    再使用可能硬質箱
７    内パッケージ
１４    引裂上部
１５    引裂線
１６    取出し開口
【図１】
2009023730.tif 000003
【図２】
2009023730.tif 000004
【図３】
2009023730.tif 000005
【図４】
2009023730.tif 000006
【図５】
2009023730.tif 000007
【図６】
2009023730.tif 000008
【図７】
2009023730.tif 000009
【図８】
2009023730.tif 000010
【図９】
2009023730.tif 000011
【図１０】
2009023730.tif 000012
【図１１】
2009023730.tif 000013
【外国語明細書】
2009023730000001.pdf